(57)【特許請求の範囲】
【請求項１】
時計ムーブメントによって駆動され、月の日付を表示する歯車列（１６〜２４）を作動させる日プログラム車（１３）を有し、前記日プログラム車（１３）は、前記時計ムーブメントによって毎日１段階進められる日割出歯車（１３’）と、前記時計ムーブメントにより駆動できる複数の格納式の歯（１２８、１２９、１３０）とを有するカレンダ機構であって、
前記格納式の歯（１２８、１２９、１３０）それぞれは、前記時計ムーブメントによって駆動する動作位置（１２８Ａ、１２９Ａ、１３０Ａ）と、前記時計ムーブメントによって駆動しない非動作位置（１２８ｌ、１２９ｌ、１３０ｌ）との間で枢動可能に取り付けられ、前記格納式の歯（１２８、１２９、１３０）の前記動作位置（１２８Ａ、１２９Ａ、１３０Ａ）および非動作位置（１２８ｌ、１２９ｌ、１３０ｌ）は、カムの表面（４４１、４４２、４６１）によって求められることを特徴とする、カレンダ機構。
【請求項２】
前記日割出歯車（１３’）は、３１の歯の均一な外部の歯システムを有し、
前記時計ムーブメントによって作動する駆動歯車列（１、２、１１、１２）によって１段階分割り出され、
前記格納式の歯（１２８、１２９、１３０）は、前記日割出歯車（１３’）と一体化し、前記時計ムーブメントによって作動する同じ駆動歯車列（１、２、１１、１２）によって、動作位置（１２８Ａ、１２９Ａ、１３０Ａ）に駆動される
ことを特徴とする、請求項１に記載のカレンダ機構。
【請求項３】
前記格納式の歯（１２８、１２９、１３０）の前記動作位置（１２８Ａ、１２９Ａ、１３０Ａ）または前記非動作位置（１２８ｌ、１２９ｌ、１３０ｌ）は、前記日割出歯車（１３’）によって駆動される制御歯車列（１５、１６、３２、３３、４１、４２）によって毎月１２分の１回転することにより割り出される月プログラム歯車（４３）の位置によって制御されることを特徴とする、請求項１または２に記載のカレンダ機構。
【請求項４】
前記制御歯車列（１５、１６、３２、３３、４１、４２）は、独立して回転可能な２つの同軸歯車（１５、４０）を含む中間車を含み、第１の歯車は、前記日割出歯車（１３’）によって駆動し、前記日付を表示する歯車列（１６〜２４）を作動する日車（１６）とかみ合う中間日車（１５）であり、第２の歯車は、前記日車（１６）によって駆動され、前記月プログラム歯車（４３）とかみ合う中間月制御車（４２）であることを特徴とする、請求項３に記載のカレンダ機構。
【請求項５】
前記月プログラム歯車（４３）は、前記日プログラム車（１３）の少なくとも第１のかみ合いレベル（Ｂ）と、第２のかみ合いレベル（Ｃ）とに分散された別々のカムの表面（４４１、４４２）を含み、前記カムの表面（４４１、４４２）は、１２の領域（４４０１、４４０２、４４０３、４４０４、４４０５、４４０６、４４０７、４４０８、４４０９、４４１１、４４１２）に分散され、それぞれ各月に対応しており、少なくとも２つの格納式の歯（１２９、１３０）の位置を求めることを特徴とする、請求項３または４に記載のカレンダ機構。
【請求項６】
前記第１および前記第２のかみ合いレベル（Ｂ、Ｃ）における前記カムの表面（４４１、４４２）は、２月に関して同一であることを特徴とする、請求項４または５に記載のカレンダ機構。
【請求項７】
前記時計ムーブメントによって駆動される曜日表示機構（５〜８）をさらに含み、前記曜日表示機構（５〜８）は、前記カレンダ機構とは独立して、時間を問わず調整可能であることを特徴とする、請求項１〜６のいずれか１項に記載のカレンダ機構。
【請求項８】
前記カレンダ機構は、永久カレンダ機構であり、前記日プログラム車（１３）は、２月に２９日から３０日に割り出すための第１のかみ合いレベル（Ｂ）でかみ合う第１の枢動する格納式の歯（１２９）と、３１日未満の月の３０日から３１日を割り出すための第２のかみ合いレベル（Ｃ）でかみ合う第２の枢動する格納式の歯（１３０）と、閏年に２月の２８日から２９日を割り出すための第３のかみ合いレベル（Ｅ）でかみ合う第３の枢動する格納式の歯（１３０）とを含み、前記日割出歯車（１３’）は、第４のかみ合いレベル（Ｄ）でかみ合うことを特徴とする、請求項１〜７のいずれか１項に記載のカレンダ機構。
【請求項９】
マルタ十字歯車（４６’）と一体化し、前記月プログラム歯車（４３）で枢動するように取り付けられた閏年カム（４６）を含み、前記閏年カム（４６）は、前記日プログラム車（１３）の前記第３のかみ合いレベル（Ｅ）に作用し、前記第３のかみ合いレベル（Ｅ）における前記閏年カム（４６）の前記カムの表面（４６１）の形状は、２月の前記第１および前記第２のかみ合いレベル（Ｂ、Ｃ）の前記カムの表面（４４１、４４２）と同一であることを特徴とする、請求項８に記載のカレンダ機構。
【請求項１０】
前記月プログラム車（４３）は、前記日プログラム車（１３）と同軸であり、毎月、第５のかみ合いレベル（Ｆ）で前記日割出歯車（１３’）によって駆動する制御歯車列（１５、１６、３２、３３、４１、４２）の一部を形成する中間月制御車（４２）とかみ合うことを特徴とする、請求項８または９に記載のカレンダ機構。
【請求項１１】
前記時計ムーブメントは、第６のかみ合いレベル（Ａ）でカレンダ日割出歯車（１２）とかみ合う複数の歯を備える日かみ合い部分（１１）と嵌合する２４時間車（２）を含み、
前記カレンダ日割出車（１２）は、最大２４時間にわたって１回転し、前記カレンダ日割出車（１２）はさらに第１のかみ合い部分（２９）を含み、
前記カレンダ日割出車（１２）は、割出歯（２９、３０、３１、２８）をさらに含み、それらの少なくとも１つが前記第１のかみ合いレベル（Ｂ）、前記第２のかみ合いレベル（Ｃ）、前記第３のかみ合いレベル（Ｅ）および前記第４のかみ合いレベル（Ｄ）にそれぞれ配置されることを特徴とする、請求項８〜１０に記載のカレンダ機構。
【請求項１２】
前記カレンダ日割出車（１２）の第１の割出歯（２９）は、２月の２９日から３０日に割り出すために、第１のかみ合いレベル（Ｂ）の動作位置（１２９Ａ）で第１の枢動する格納式の歯（１２９）とかみ合い、
前記カレンダ日割出車（１２）の第２の割出歯（３０）は、３１日未満の月の３０日から３１日に割り出すために、第２のかみ合いレベル（Ｃ）の動作位置（１３０Ａ）で第２の枢動する格納式の歯（１３０）とかみ合い、
前記カレンダ日割出車（１２）の第３の割出歯（２８）は、閏年の２月の２８日から２９日に割り出すために、第３のかみ合いレベル（Ｅ）の動作位置（１２８Ａ）で第３の枢動する格納式の歯（１２８）とかみ合い、
第４の割出歯（３１）は、第４のかみ合いレベル（Ｄ）で前記日割出歯車（１３’）の歯（１３１）とかみ合い、
前記第１、第２、第３および第４のかみ合いレベルは、前記日かみ合い部分（１１）とかみ合う前記カレンダ日割出車（１２）の前記第６のかみ合いレベル（Ａ）から開始して前記第１、第２、第３および第４のかみ合いレベル（Ｂ、Ｃ、Ｅ、Ｄ）の順に配置されることを特徴とする、請求項１１に記載のカレンダ機構。
【請求項１３】
前記カレンダ日割出車（１２）の回転軸と垂直な面の前記割出歯（２９、３０、３１、２８）の突起は、連続して均一な歯状領域を形成することを特徴とする、請求項１１または１２に記載のカレンダ機構。
【請求項１４】
日付表示（１６〜２４）のために、日車（１６）によって駆動する月表示機構（３３〜３６）と、前記月表示機構（３３〜３６）によって駆動され、月指示歯車と同軸である閏年指示歯車（４０）を含む閏年表示機構（３７〜４０）とをさらに含むことを特徴とする、請求項８〜１３のいずれか１項に記載のカレンダ機構。
【請求項１５】
前記日割出車（１２）の前記割出歯（２９、３０、３１、２８）は、前記２４時間車（２）の前記日かみ合い領域（１１）が、前記日割出車（１２）とかみ合う際に、１時間間隔で前記第１、前記第２、前記第３および前記第４のかみ合いレベル（Ｂ、Ｃ、Ｅ、Ｄ）で前記日プログラム車（１３）と連続してかみ合うように配置されることを特徴とする、請求項１１〜１４のいずれか１項に記載のカレンダ機構。
【発明の詳細な説明】
【技術分野】
【０００１】
本発明は、カレンダ機構、さらに詳しくは、永久カレンダ機構に関する。
【背景技術】
【０００２】
手動補正を必要とせず、３１日未満の月を考慮して日付の表示を自動的に日送りすることが可能な機構に加え、永久カレンダ機構、すなわち２月の最終日に閏年を考慮して日送りする年間カレンダ機構は古くから知られている。
【０００３】
永久カレンダ機構は、１２カ月カムまたは４８カ月カムを使用し、４８カ月カムは、それぞれ毎年または４年に一度回転し、３１日未満の月に関するさまざま深さの切り込みを有する。１２カ月カムの場合、２月の切り込みは、閏年のためにさらに浅い切り込みを形成し、毎年割り出されるマルタ十字歯車をさらに含む。レバーのくちばし部は、バネにより復位し、これらの日付表示機能に使用するカムに作用し、係合する深さに応じて月末に日付表示送りを決定する。これは、多数の重要な部品を有する比較的複雑構造となり、たとえば衝撃時に動作にはあまり信頼性はない。さらに、このカムシステムは、日車およびベースムーブメントを所定方向に同期させることのみ可能であるが、時間調整操作時は、日付を先に進めることのみが可能であって、日付を戻すことはできない。
【０００４】
これらの欠点を克服するために、スイス特許第６８０６３０号明細書に開示される解決法は、たとえば、プログラム車を含む永久カレンダ機構を提案し、プログラム車は、２４時間車の突出歯によって駆動され、プログラム車には、月の日数と３１との差に対応する段数を常に進めるように歯車列が配置される。この機構は、日車を割り出すためのジャンパー以外に、レバー、バランスまたバネが全くない。しかし、歯車機構は、きわめて複雑であり、プログラム車に偏心して配置され、割出再調整に用いる長歯と嵌合する、それぞれが特有の補正のために設けられている多数の遊星歯車を有する。その結果、プレートはかなりの高さが必要となるのみならず、２４時間車との信頼性のあるかみ合いを確実にするために、軸はきわめて精確な配置が必要となるため、生産コストがきわめて高くなる。
【０００５】
欧州特許第１３５１１０４号明細書は、プログラム車の構成部品数を削減することを目的とした上記の解決法に対する代替案を提案している。したがって、開示されるカレンダ機構は、動作位置と非動作位置との間を摺動する格納式の歯を有する可動要素を備えるプログラム車を提案している。この装置は、プログラム車の全厚を効果的に削減することができる。しかし、摺動可動要素は、きわめて特有の形状を有し、複雑な幾何学的形状の当接部と肩部との間に精確に配置する必要がある。さらに、制御装置は、長さの不均一な歯を有し、摺動要素のカム面として作用する多数の遊星歯車をさらに含む。したがって、かみ合いの信頼性が問題となり、制御装置のさまざまな部品の摩耗は、摺動要素のための多数の案内面により増大する。
【０００６】
したがって、従来技術のこれらの制限がないカレンダ機構、特に永久カレンダが必要となる。
【発明の概要】
【発明が解決しようとする課題】
【０００７】
本発明の目的は、日時調整が進み方向と戻り方向の両方で同期できる簡略化された構造を有する、通常のカレンダ機構の代替解決法を提供することである。
【０００８】
本発明の別の目的は、さまざまな割出動作時、特に３１日未満の月末の割出を再調整する際のエネルギー損失を最小限に抑える解決法を提供することである。
【課題を解決するための手段】
【０００９】
これらの目的は特に、時計ムーブメントによって駆動され、月の日付を表示するための歯車列（１６〜２４）を作動させる日プログラム車１３を含むカレンダ機構によって実現され、プログラム車１３は、時計ムーブメントによって毎日１段階進められる日割出歯車１３’と、時計ムーブメントによって駆動することができる少なくとも１つの格納式の歯（１２８、１２９、１３０）とを含み、格納式の歯（１２８、１２９、１３０）は、時計ムーブメントによって駆動する動作位置（１２８Ａ、１２９Ａ、１３０Ａ）と、時計ムーブメントによって駆動しない非動作位置（１２８ｌ、１２９ｌ、１３０ｌ）との間で、枢動可能に取り付けられることを特徴とする。
【００１０】
提案する解決法の利点は、プログラム車のための要素数が削減され、格納式の歯のために簡単な幾何学的形状の部品が必要となるのみであることである。
【００１１】
提案の解決法の別の利点は、それぞれが深く、回転の１自由度によって調整された格納式の歯の信頼性の高い配置の結果として、さらに良好なかみ合わせの信頼性を確実にすることである。
【００１２】
提案する解決法のさらなる利点は、それぞれの割出動作時の各格納式の歯の磨耗を抑える結果として、さらに良好な耐久性を有することである。
【００１３】
提案する解決法の別の利点は、モジュール方式のかみ合いレベルによって３１日未満の月の日付を自動的に割り出すために、再調整用の歯車列それぞれをかみ合いレベルによって容易に変更することができることである。
【００１４】
本発明の実施形態の実施例は、本願明細書に開示し、添付の図面によって例示する。
【図面の簡単な説明】
【００１５】
【図１】図１Ａは本発明の好適な変形例によるカレンダ機構の２４時間および曜日を表示する制御機構の断面図である。図１Ｂは本発明の好適な変形例によるカレンダ機構の２４時間および曜日を表示する制御機構の平面図である。
【図２】図２Ａは図１Ａの制御機構の断面図である。図２Ｂは図１Ａの曜日のための制御および表示の機構の別のかみ合いレベルの平面図である。
【図３】図３Ａは本発明の好適な変形例によるカレンダ機構の部分断面図である。図３Ｂは図３Ａの本発明の好適な変形例による特にプログラム車および格納式の歯を有するカレンダ機構の部分平面図である。図３Ｃは図３Ａおよび図３Ｂに示す本発明の好適な変形例によるカレンダ機構の表示装置の平面図である。
【図４】図４Ａは本発明の好適な変形例による別のカレンダ機構の断面図であり、特に、プログラム車と、月および閏年の表示との制御機構を示す図である。図４Ｂは図４Ａに示す本発明の好適な変形例によるカレンダ機構の部分平面図である。
【図５】既出の図に示すさまざまモジュールの好適な実施形態を使用する本発明の好適な変形例によるカレンダ機構の斜視図である。
【図６Ａ】平年の２月２８日における、図５に示す好適な実施形態による歯車を使用する永久カレンダ機構のための、枢動する格納式の歯および日割出歯車のそれぞれのかみ合いレベルにおけるさまざまな割出順序を示す図である。
【図６Ｂ】平年の２月２８日における、図５に示す好適な実施形態による歯車を使用する永久カレンダ機構のための、枢動する格納式の歯および日割出歯車のそれぞれのかみ合いレベルにおけるさまざまな割出順序を示す図である。
【発明を実施するための形態】
【００１６】
本発明によるカレンダ機構は、曜日、２４時間、月および閏年を表示する永久カレンダ機構であるのが好ましい。しかし、このカレンダ機構を形成するさまざまなモジュールも、他の種類のカレンダ機構に対して互いに独立して使用することができること、および、プログラム車、たとえば遊星歯車の数およびかみ合いレベルの数を調整することによって、年間カレンダ機構または３０日月カレンダ機構などのさらに簡易な機構に適合させることができることが、当業者には理解できるだろう。
【００１７】
図１Ａおよび図１Ｂは、好適な変形例による２４時間および曜日のカレンダ機構の表示機構をそれぞれ断面図および平面図で示している。図１Ａおよび１Ｂは、ケース０によって囲まれ、腕時計内の歯車列の位置を示す。ケース０は、曜日、日付、月それぞれを補正するためのボタン１０、２６および４８を含む。これらの補正機構は、以下の図２Ａ、２Ｂ、３Ａ、３Ｂ、３Ｃおよび４Ａ、４Ｂに基づいてさらに以下記載する。図１Ａには、３５の歯を含むのが好ましい筒車１が配置される時間の動作装置を明らかに示す。筒車１は、２倍の歯数、つまり、好ましくは７０の歯を含む２４時間車２とかみ合う。毎日１回転する２４時間車２は、図に示す好適な実施形態に従って、同一の歯数４６を含む２４時間表示歯車４とかみ合う伝え車３に対して回転可能に固定されるように取り付けられる。２４時間表示歯車４は、以下に記載する図２Ｂに示すかみ合いレベルで、２４時間車２と同軸のツメ部６によって１日１回の割合で駆動される７つのアーム部を有する曜日星形歯車７に同軸に取り付けられる。曜日星形歯車７に対して２４時間表示歯車４の同軸に取り付けることによって、たとえば、同心リングを通してこれらの表示パラメータのさらに良好な可読性が可能となる。
【００１８】
図２Ａは、符号で示す追加部分を除けば図１Ａと同一であり、この部分は、曜日星形歯車７の弾性割出要素を示す。図２Ｂは、２４時間表示車４における伝え車３のかみ合いレベルより下のかみ合いレベルの曜日星形歯車７の割出歯車列の平面図である。２４時間車と一体化しているピン５は、曜日星形歯車７とかみ合うツメ部６を回転させ、曜日星形歯車７を毎日７分の１回転させる。かみ合いは、図２Ｂの２４時間車２の約１０時〜１１時に位置する領域で行われ、曜日の割り出しが、およそ午前２〜４時に行われることを意味する。精確な７分の１回転による曜日星形歯車の割り出しは、弾性割出要素８によって確実に行われ、この割出要素は、それぞれの割出ステップが精確に７分の１回転に対応するように曜日星形歯車７の２つの歯の間に弾性割出要素自体を配置する。
【００１９】
２４時間車のツメ部６は、２４時間車２と同軸の要素として配置されるのが好ましいが、この２４時間車２とともに回転するようには完全に固定されていないことから、曜日調整は、カレンダ機構および１日の時間とは独立して行うことができる。実際に、かみ合い歯車のツメ部６の配置によって、２４時間車２が反時計回り（すなわち、腕時計の正常機能時に筒車１が時計回り）に回転する時に２４時間車のピン５が支持される第１の当接部６’と、２４時間車２が逆方向に回転する時に２４時間車のピン５が支持される第２の当接部６”との間で回転自由度が得られる。この自由度の大きさは、２０〜３０度の角度領域に対応するのが好ましく、曜日星形歯車７を、たとえば、図２Ｂに記載する実施形態に対して時計回りに回転させることが可能であり、２４時間車のツメ部６が、曜日星形歯車７の歯とかみ合う位置、たとえば、好適な実施形態に関して図２Ｂに記載する２４時間車のおよそ１０〜１１時に位置する領域内に配置されても、筒車１の正常動作を妨げないように求められる。２４時間車のツメ部６が調整の瞬間に曜日星形歯車７の２つの連続する歯の間に配置される場合、２４時間車は、単に逆時計方向に回転し、第２の当接部６”に到達するまで曜日星形歯車７に対して抵抗を引き起こすことがなく、つまり２４時間車２の動作には影響を及ぼさない。したがって、筒車１の正常動作は、調整動作が何時に行われても、完全に保護される。この動作が曜日星形歯車の２つの歯の間に２４時間車のツメ部６が位置している間に行われる場合、２４時間車のツメ部６は、１０〜１１時に位置する通常のかみ合い領域の外側に位置し、第１の当接部６’は、この領域の外側で後にピン５によって再調整されるにすぎないことから、通常の毎日のかみ合いは起こらないということになる。
【００２０】
曜日調整は、ケース０に配置される手動作動装置１０によって行われる。図２Ａおよび図２Ｂに記載する好適な実施形態によれば、曜日調整するための手動作動装置１０はボタンであり、そのボタンを最大６回連続で押して所望の日付にする。調節機構９は、パルスをボタンから曜日星７に伝達することを可能にし、わかりやすくするため図４Ｂには示していないが、そのような機構は当業者に周知である。図に示す好適な実施形態によれば、単一の方向に曜日調整することのみが可能である。代替手段として、ボタンの代わりに、手動作動装置１０としてシャフトを使用することが可能であり、この場合、シャフトの回転によって、曜日調整するための適切な機構９とともに曜日星形歯車７を駆動して両方向に回転させる。しかし、この代替手段には、２４時間車のツメ部６が曜日星形歯車７の歯と係合される場合に、調整が逆方向に可能となることが保証されないという欠点があり、これは、この瞬間に、第１の当接部６’に支持され、シャフトおよび／またはムーブメントを破損せずに、あらゆる補正を行うことも不可能であることによる。図２Ａおよび図２Ｂに基づいて記載する好適な解決法は、そのような欠点を回避することができる。
【００２１】
曜日調整が２４時間車２のムーブメントに影響を及ぼさないという事実によって、時間および分の表示のみならず、本発明によるカレンダ機構によって求められる月および日付の値に対しても、この調整の独立性が保証される。実際には、図面に照らしてさらに以下に記載するように、月および日付の値は、２４時間車２の一体化したかみ合い領域によるムーブメントによって駆動され、曜日調整による影響を受けない。したがって、曜日補正は、本発明による記載したカレンダ機構の好適な実施形態によって表示される日および月の値には相関しない。
【００２２】
図３Ａおよび図３Ｂはそれぞれ、日付表示のための駆動歯車列の断面図および平面図を示す。特に、図３Ｂは、ケース０と、図２Ａおよび図２Ｂに関して記載する曜日ならびに日付および月それぞれのための手動補正作動装置１０、２６および４８とに対するこの歯車列の位置を示す。図３Ｂは、特に月の日付の調整機構の動作を説明するのに有用である。
【００２３】
また、以下は、図３Ａおよび図３Ｂに関して記載し、図に示す好適な実施形態によるカレンダ機構の駆動歯車列に関してさらに良く理解するために組み合わせて参照することができる。ムーブメントの筒車１は、２倍の歯数から成る２４時間車２とかみ合う。この２４時間車２に配置されているのが日かみ合い部分１１であり、１５度間隔で配置した７つの歯からなり１つの歯から別の歯まで１時間毎に移動する。図３Ａに示し、図３Ｂにさらに明確に示すように、２４時間車のこの日かみ合い部分１１は、このかみ合いレベルで８つの歯を有するカレンダ日割出車１２と第１のレベルＡでかみ合う。したがって、毎日、２４時間車は、日かみ合い部分１１の７つの歯とかみ合うと、つまり８時間の間隔で、カレンダ日割出車１２を１回転させる。カレンダ日割出車１２は、歯状かみ合い部分１１とかみ合わない場合でも、図３Ｂの符号１１’が示す２４時間車の非歯状部分に支持され、所定の位置に保持される。したがって、２４時間車のかみ合い部分１１とカレンダ日割出車１２は、カレンダ割出歯車が毎日時刻１８：００〜翌朝２：００で１回転し、日プログラム車１３との割り出しが時刻２０：００〜２４：００に行われるように配置されるのが好ましい。
【００２４】
図３Ａに示すように、カレンダ日割出車１２は、さまざまなかみ合いレベルＢ、Ｃ、Ｄ、Ｅに分散する複数の歯２８、２９、３０、３１を有する。さらに、これらの歯は連続しており、その結果、必然的に日プログラム車１３と毎時かみ合う。図３Ｂは、図３Ａの最上部から３番目の歯３１のかみ合いレベルＤを示し、日プログラム車１３の日割出歯車１３’によって構成される。歯３１は、時刻２３：００〜深夜に、日割出歯車１３’の対応する歯１３１とかみ合うように配置するのが好ましい。カレンダ日割出歯１２の歯３１とは異なり、この歯は、カレンダ日割出車１２の歯３１に対して形成されているにすぎないことから、毎日同じにならず、各時点で３１の歯の均一な外部（すなわち、各歯の高さおよび歯と歯の間隔が同一）の歯システムを有する日割出歯歯車１３’の歯システムの別の歯に対応している。日割出歯車１３’は、各ジャンプの後に２つの連続した歯の間に入るプログラム車１４の弾性割出要素により歯１つ分のピッチで進められる。
【００２５】
カレンダ日割出車１２の他の歯２８、２９、３０は、プログラム車に配置される対応して枢動する格納式の歯１２８、１２９、１３０によって３１日未満の月をさらに再調整するのに有用である。したがって、カレンダ日割出車１２の第１の割出歯２９は、第１の枢動する格納式の歯１２９とかみ合い、歯１２９の回転軸は、毎２月に２９日から３０日に割り出すために、図３Ａのかみ合いレベルＡの真下に位置する第１のかみ合いレベルＢで日割出歯車１３’と一体化する。枢動する歯がいわゆる「動作」位置にある場合、すなわち、カレンダ日割出車１２の対応する割出歯によって駆動することが可能である場合にのみ、かみ合いが行なわれる。枢動する格納式の歯１２８、１２９、１３０それぞれの「動作」位置１２８Ａ、１２９Ａ、１３０Ａは、以下に記載する図６のさまざまの順序によって示す。この場合、枢動する格納式の歯１２８、１２９、１３０それぞれは、それぞれのかみ合いレベルＢ、Ｃ、Ｅで日割出歯車１３’の外部の歯システムに重ね合わせられる。図３Ｂは、これらの枢動する歯１２８、１２９、１３０は、３月の非動作位置１２８ｌ、１２９ｌ、１３０ｌに示し、３月は３１日あるため再調整をする必要はない。
【００２６】
同じように、カレンダ日割出車１２の第２の割出歯３０は、動作位置１３０Ａに位置する場合、３１日未満の月に３０日から３１日に割り出すために、回転軸が日割出歯車１３’と一体化する第２の枢動する格納式の歯１３０にかみ合うことができる。図に示す好適な実施形態によれば、かみ合いは、図３Ａの既出のかみ合いレベルＢの真下に位置する第２のかみ合いレベルＣで行われる。
【００２７】
最終的には、カレンダ日割出車１２の第３の割出歯２８は、閏年の２月の２８日から２９日に割り出すために、動作位置１２８Ａに位置する場合に、回転軸が日割出歯車１３’と一体化する第３の枢動する格納式の歯１２８とかみ合う。図に示す好適な実施形態によれば、このかみ合いは、上記のかみ合いレベルＤの真下に位置する第３のかみ合いレベルＥで行われる。
【００２８】
図３Ａから明らかなように、第１、第２、第３および第４のかみ合いレベルは、日かみ合い部分１１にかみ合うカレンダ日割出車１２のかみ合いレベルＡから順（Ｂ、Ｃ、Ｅ、Ｄ）に配置される。そのような配置によって、月プログラム車４３のカムの表面がレベルＢおよびＣで重ね合わせられるため、それぞれの部品の精確な取り付けが容易となり、有利である。
【００２９】
図３Ｂでは、日割出車１２も日割出歯車１３’も長い歯を有さないことを示し、これにより、これらの加工が容易となる。さらに、それぞれのかみ合いレベルＢ、Ｃ、Ｄ、Ｅにおける割出歯２９、３０、３１、２８の突起は、かみ合いレベルＡにおける日割出車１２の歯システムとかみ合い部分１１で重ね合わせられ、その結果、良好なかみ合いの信頼性が可能となる深さを有し、カレンダ日割出車１２の回転軸に垂直な面に均一かつ連続した歯状領域を形成し、各歯自体の間の角度間隔は、日プログラム車１３の一位の加算を確実にする。
【００３０】
図３Ｂは月カム４４を示し、その制御面は、かみ合いレベルＣにおける枢動する格納式の歯１３０の動作位置または非動作位置を求める。したがって、この月カム４４は３１日未満の月のためのカムの表面４４１を定義し、図に示す好適な実施形態に従って、好ましくは時刻２２：００〜２３：００に３０日から３１日の割り出しを可能にする。この月カム４４は、２月の月カムの表面４４２を含むのが好ましく、図に示す好適な実施形態に従って、好ましくは時刻２１：００〜２２：００に２９日から３０日の割り出しを可能にする。２月のカムの表面自体は、かみ合いレベルＢにおける枢動する格納式の歯１２９の動作位置または非動作位置を制御する。月カム４４のカムの表面４４１、４４２は、１２の領域に分散し、図３Ｂに示すが、以下に記載する図６Ａおよび図６Ｂでのみ詳細に示す。カムの表面の各領域はカレンダ月に対応しており、月カム４４は、月プログラム歯車４３と一体化し、毎月末には、１２分の１回転によって割り出され、すなわち、月を変更する。この割出動作のための制御歯車列は、以下に図４Ａおよび図４Ｂに基づいてさらに説明する。
【００３１】
図３Ａの下部には、月プログラム歯車４３とともに、中間月制御車４２のかみ合いレベルに対応するかみ合いレベルＦを示し、固定閏年割出フィンガ４７も存在し、たとえば図６Ａおよび図６Ｂに示す固定車４７’に典型的に配置される。閏年割出フィンガ部４７によって、図６にさらに明確に示すマルタ十字歯車４６’が毎年４分の１回転し、この間に固定車が一体化している月プログラム歯車４３は１回転する。マルタ十字歯車４６’は、図に示さない他のかみ合いレベルで閏年割出フィンガ４７とかみ合い、閏年カム４６と一体化し、カムの表面４６１（図６のみに示す）は、２月のカムの表面４４２と同じようにかみ合いレベルＥにある。その結果、このカムは図に示す好適な実施形態に従って、２月２８日の夜間、好ましくは時刻２０：００〜２１：００に平年の２８日から２９日に日付を進めることを可能にする。
【００３２】
図３Ａおよび図３Ｂは、かみ合いレベルＤにおいて、中間月制御車４２に対して自由に回転可能となるように同軸に配置される中間日車１５を介して、日割出歯車１３’が、日割出歯車１３’のような３１の歯を備える日車１６とかみ合うことを示す。中間日車１５は、日プログラム車１３の全ての割出動作のためのリターンを構成するのみであり、この割出動作は日車１６に一体的に影響を及ぼし、一方では、日車１６の全ての回転動作は、日プログラム車１３の躯体を形成する日割出歯車１３’に一体的に影響を及ぼし、その歯車１３’に取り付けられた枢動する格納式の歯１２８、１２９、１３０も、それぞれの突起１２８１、１２９１、１３０１を含み、それらの機能は、図６Ａおよび図６Ｂに基づいて以下にさらに記載する。したがって、日車１６を割り出す弾性割出要素は必要ない。ケース０の高さが十分であれば、日プログラム車１３および１６は、同軸に配置したり、重ね合わせたり、あるいは、統合することもできる。記載する好適な実施形態によれば、プログラム車１３と日プログラム車１６を分離することによって、３１日未満の月の日付を自動補正するムーブメントとかみ合わせるために設けられる日プログラム車１３によって形成されるユニットは互いに同軸であり、回転可能に固定され、図１Ｃに示し以下に記載する日付表示歯車とかみ合わせるために設けられる日車１６、一位ホイール１７および十位ホイール１８によって形成されるユニットから機能的に独立することが可能となる。
【００３３】
一位ホイール１７は、３１の等角領域に分割され、３０の歯状領域および１つの非歯状領域が配置される。一位ホイール１７は、月の１日を除く毎日、一位表示ディスクを作動させるための歯車１９を駆動する。したがって、一位表示ディスク１９を作動させるための歯車に一体化した一位表示ディスク２０は、十位表示ディスク２３のみが加算される月の３１日から翌月１日への移動を除いて、毎日１単位ずつ割り出される。一位表示ディスク１９を作動させるための歯車は、１０の歯を含み、２つの連続した歯の間に入る一位ディスクの弾性割出要素２４により１０分の１回転のピッチにより割り出される。
【００３４】
同じように、十位表示ディスク２３は、作動歯車、すなわち十位表示ディスクを作動させるための歯車２２に一体化し、この歯車は、４つのアーム部を有する十字の形状であり、９日から１０日、１９日から２０日、２９日から３０日、さらには、３１日から１日にそれぞれ移動する時に、４分の１回転して割り出される。４分の１回転のジャンプは、十字の２本の隣接するアーム部の間に入る十位表示ディスクの弾性割出要素２４によって確実に行われ、これらの日付の割り出しは、十位ホイール１８に配置される長い歯によって確実に行われ、また、十位ホイール１８は３１の領域に分割されるが、４つの長い歯しか含まず、そのうちの３つの歯は、９の領域の間隔で配置され、第４の歯は、３１日から翌月１日に移動するために第３の歯の後に配置される。
【００３５】
日車１６から一位表示ディスク２０および十位表示ディスク２３までの符号１６〜２４の要素から成る日付表示のための歯車列は、図３Ａ、図３Ｂおよび図３Ｃそれぞれで部分的に示す。図３Ａは、一位表示ディスク２０および十位表示ディスク２３それぞれに関連する作動歯車１９および作動歯車２２それぞれの弾性割出要素２１および２４を除く歯車列の全体を示し、図３Ｂは、一位表示ディスク２０および十位表示ディスク２３の下に位置するかみ合いレベルを示し、これらのディスクは図３Ｃでのみ示す。
【００３６】
日付調整は、ケース０に配置される手動作動装置２６によって行われる。図３Ａおよび図３Ｂに記載する好適な実施形態によれば、日付調整するための手動作動装置２６はボタンであり、そのボタンを最大３０回連続で押して所望の日付にする。調節機構２５は、パルスをボタンから日歯車１６に伝達することを可能にし、わかりやすくするため図３Ｂには示していないが、そのような機構は当業者に周知である。代替手段として、ボタンの代わりに、手動作動装置２６としてシャフトを使用することが可能であり、この場合、シャフトの回転によって、曜日調整するための適切な機構２６とともに日車１６を駆動して両方向に回転させる。しかし日割出車１２の歯２８、２９、３０または３１が日プログラム車１３と直接係合する場合、すなわち、時刻２０：００〜２４：００に、記載した好適な実施形態および提案した代替解決法によってそのような日付調整を行うのは不可能である。実際、日割出車１２と２４時間車の日かみ合い部分１１との直接係合によって、これらの割出動作が筒車１に達する傾向があり、これはムーブメントの正常機能を損なうことになる。
【００３７】
図４Ａおよび図４Ｂはそれぞれ、本発明の好適な変形例によるカレンダ機構の断面図および平面図を示し、枢動する格納式の歯を適切に配置するために、月プログラム歯車４３を配置するための制御歯車列と、月および閏年を表示するための歯車列とを記載する。既出の図２Ａ、２Ｂおよび図３Ａ、３Ｂ、３Ｃのように、ケース０に配置する手動作動装置１０、２６および４８を示し、以下に、手動作動装置４８による月の調整方法をさらに示す。
【００３８】
図４Ａの中心部分は明らかに歯車であり、この歯車には図４Ｂに示す月割出歯３２が配置される。この月割出歯３２は、８つの歯が、月制御車４１の３２の歯と回転可能に固定されている月割出歯車３３とかみと合い、月制御車４１は、かみ合いレベルＦで中間月制御車４２とかみ合い、中間月制御車は、中間日車１５と同軸であるが回転可能に固定されていない、図４Ｂに示す月カム４４と回転可能に固定される４８の歯を有する月プログラム歯車４３とかみ合う。月割出歯車３３は、弾性割出要素３４によって毎月精確に１／８回転し、割出要素は２つの連続した歯の間に入る。月割出歯車３３の数と月プログラム歯車４３の数との歯車比によって、月プログラム歯車を毎月精確に１／１２回転して割り出すことが可能となる。
【００３９】
月割出歯車３３は、２３の歯を有する中間月割出歯車とさらにかみ合い、中間月割出歯車は、１２の歯を有する月表示を作動させるための歯車３６とかみ合う。月割出歯車３３と月表示を作動させるための歯車３６との歯車比８：１２は、作動歯車が各月末には精確に１２分の１回転することを確実にする。月表示を作動させるための歯車３６は、年割出歯３７と回転可能に固定され、その割出歯は、毎年１回転する歯車に配置される。年割出歯３７は、８つの歯を備える閏年作動歯車３８とかみ合い、その動作歯車は、年割出歯３７とかみ合う度に、歯２つ分、つまり９０度移動する。閏年作動歯車３８は、３９の歯を備える中間閏年車３９と回転可能に固定され、歯車３９は閏年表示車４０とかみ合い、閏年表示車４０は３９の歯を含み、月表示の作動歯車３６と同軸に取り付けられ、通常は腕時計のダイヤルに配置される同心リングを指し示す針である月および閏年の指標は、使用者の可読性を改善するために、同じ動作装置の周りを回転するように配置することができる。図４Ａおよび図４Ｂに記載する月表示（要素３３〜３６）、閏年表示（要素３７〜４０）および月プログラム歯車４３の位置の制御（要素３３、４１、４２、４３）のための歯車列を形成する要素のために割り出される歯の数は、本発明を実施するために、適切なかみ合い効率性を有する図に示す好適な変形例の構成内の一実施例として与えられ、本発明を制限するものと考えてはならないことを、当業者は理解されよう。
【００４０】
月プログラム歯車４３は、月カム４４と一体化し、図４Ｂに示す３１日未満の月のための第１のカムの表面を含み、図４Ａに示すかみ合いレベルＣに対応する。このカムの表面は、日付の値を３０から３１に割り出すことを可能にする。また、月カム４４は、２月の補正、すなわち２９日から３０日に日付を進めることを可能にするために、かみ合いレベルＢでカムの表面４４２を含む。実際、閏年カム４６は、月プログラム歯車４３に一体化して取り付けられ、図４に示し、かみ合いレベルＦの真上に位置するかみ合いレベルＥで枢動する格納式の歯に作用することによって、閏年でない場合に２８日から２９日に日付を進める。その結果、月プログラム歯車４３は、再調整が必要になる場合、つまり３０日の月および２月に、格納式の歯１２８、１２９、１３０それぞれの動作位置１２８Ａ、１２９Ａ、１３０Ａまたは非動作位置１２８ｌ、１２９ｌ、１３０ｌであるかを求めるのに有用である。このためには、各かみ合いレベルＢ、Ｃ、Ｅのカムの表面は、このレベルに位置する各枢動する格納式の歯それぞれが、レベルＢでは２９日から３０日に、レベルＣでは３０日から３１日に、レベルＥでは２８日から２９日にそれぞれ再調整する場合は動作位置にあり、それ以外の場合は非動作位置にあるように配置する必要がある。記載する好適な実施形態によれば、カムの表面は月にそれぞれ対応する１２の領域に分散される。したがって、さまざまのかみ合いレベルＢ、Ｃ、Ｅで枢動する格納式の歯１２８、１２９、１３０に作用する月カム４４と回転可能に固定される月プログラム歯車４３は、表示する月と同期し、３１日から１日に、逆に１日から３１日に日付を進める度に割り出される必要がある。これは、制御歯車列が、図に示す好適な実施形態に従って、要素１５、１６、３２、３３、４１および４２によって形成され、日割出歯車１３’から月プログラム車４３への逆動を可能にすることによる。日割出歯車１３’は、毎日少なくとも１／３１回転（すなわち、通常の日は１／３１回転するが、３１日未満の月の最終日は、システムが３０日の月および２月に対して１または複数の１／３１回転が要求される再調整をさらに実行）し、毎月末に１２分の１回転して月プログラム歯車４３を割り出し、同時に、月表示を作動させるための歯車３６は１／１２回転で割り出される。
【００４１】
カレンダ機構の記載する好適な実施形態によれば、符号１５、１６、３２、３３、４１、４２の要素から形成される月プログラム歯車の制御歯車列は、日割出歯車１３’から、中間日車１５を介して、日付表示歯車列（１６〜２４）の第１の要素を形成する日歯車１６に至る第１の運動連鎖から形成され、一方では、第２の運動連鎖は、日歯車１６および月割出歯３２から開始し、回転可能に固定される月割出歯車３３および月制御車４１と、中間月制御車４２とを介して、日割出歯車１３’と同軸に配置されるが回転可能に独立している月プログラム歯車４３に戻る。中間歯車１５および中間歯車４２、すなわち、中間日車１５および中間月制御車４２は、たとえば、他の時計モジュール用にプレートの空間を最大限節約するために、同軸かつ回転可能に独立する２つの歯車を含む単一の中間車として配置される。中間月制御車４２は、レベルＦで月プログラム歯車４３とかみ合い、一方では、中間日車１５は、レベルＤで日割出歯車１３’とかみ合う。図に示す好適な実施形態によれば、中間日車１５は、日車１６と直接かみ合うため、中間車（中間日車１５および中間月制御車４２）は、互いに反対方向に回転し、その結果、日車とは逆の方向に回転し、一方では、中間月制御車４２は、符号３３、４１によって形成される歯車を介して日車１６と一体化する月割出フィンガ３２によって駆動され、日車１６と同じ方向に回転する。
【００４２】
月の調整は、ケース０に配置される手動作動装置４８によって行われる。図４Ａおよび図４Ｂに記載する好適な実施形態によれば、曜日調整するための手動作動装置４８はボタンであり、そのボタンを最大１１回連続で押してその年の所望の月にする。調整機構４５は、パルスをボタンから月プログラム歯車４３へ伝達することを可能にし、わかりやすくするため図４Ｂに示していない。そのような機構は当業者には周知である。代替手段としてボタンの代わりに手動作動装置４８にシャフトを使用することが可能であり、この場合、シャフトの回転によって、月を調整するために適切な機構とともに月プログラム歯車４３を駆動して両方向に回転させる。しかし、月割出歯３２が月割出歯車３３とかみ合う時、すなわち、現在の月の最終日から翌月１日に移動する夜の間に、図に示す好適な実施形態および提案した代替解決法によってそのような月の調整を行うことは不可能である。実際、割出歯３２の係合によって日歯車１６が回転し、その結果、日プログラム車１３の動作が同一となり、時刻２０：００〜２４：００の割出歯車１２の歯２８、２９、３０、３１との係合によって２４時間車の日かみ合い部分１１が回転するということになる。これは、日付調整が時刻２０：００〜２４：００で行われる場合、上記のようにこれらの割出動作を筒車１に伝達する傾向があり、これはムーブメントの正常機能を損なうことになる。
【００４３】
図５は、さまざまな上記の図に示す本発明の好適な実施形態によるカレンダ機構の斜視図を示す。この図の中心にある筒車１から、歯車列は２４時間車２および割出歯車１２とかみ合う７つの歯のある日かみ合い部分１１を介して、日プログラム車１３に至ることを確認することが可能である。図３および図４に示すように、さまざまな日割出車の歯２８、２９、３０、３１は、それぞれのかみ合いレベルＥ、Ｂ、Ｃ、Ｄで、日プログラム車１３の枢動する格納式の歯１２８、１２９、１３０と、レベルＤで、日割出車の歯１３１とかみ合う。また、枢動する格納式の歯１２９および１３０は図に示すが、符号１２８の歯は図に示さない。図５の左側では、２４時間車２で回転可能に固定される２４時間車の伝え車３は、下位のレベルで配置される曜日星形歯車７と同じ動作装置の周りを回転する２４時間表示歯車４とかみ合う。曜日星形歯車７を回転させる２４時間車のツメ部６は、曜日星形歯車７の弾性割出要素８と同じように、この図には示していない。
【００４４】
日プログラム車１３は、カレンダの日割出車１２の歯の１つとかみ合う度に、枢動する格納式の歯１２８、１２９および１３０が枢動するように取り付けられた日割出歯車１３’は１／３１回転する。日歯車１６は、中間日車１５によって同じ角度で回転することになる。日車１６の上部には、一位ホイール１７および十位ホイール１８を示し、図に明らかに示す４つの長い歯は、十位ホイール１８の９番目、１９番目、２９番目および３１番目の歯のレベルに配置され、一位ホイール１７の３１番目の歯はくりぬかれている。日付表示機構は図に明確に示していない。しかし、この歯車の動作が日割出歯車１３’の動作と同期しており、それ自体がプログラム車の弾性割出要素１４（図５に示さず）によって割り出されるため、弾性割出要素は日車１６の周囲において有用でないことに留意する必要がある。
【００４５】
日付表示のための歯車列は、それぞれの表示ディスクと、割出要素（符号２０〜２４、図３Ｃに示す）と、日車１６と同軸であり回転可能に固定される月割出歯３２とが、この下部に隠れているため、図５に全体を示していない。しかし、月割出歯車３３は、図で確認でき、月制御車４１と回転可能に固定され、中間月制御車４２による月プログラム歯車４３の回転を駆動することを可能にし、月プログラム歯車４３の歯システムは、日割出歯車１３’の歯システムの下位にあり、図でほとんど確認できず、月表示のための歯車列とかみ合うことを可能にする。月プログラム歯車４３は、さまざまなかみ合いレベルに分散したカムの表面を含む月カム４４と回転可能に固定される。３０日から３１日の補正のための第１のカムの表面の５つの湾曲部４４１は、特にかみ合いレベルＣに示し、２月の２９日から３０日の補正のための第２のカムの表面の湾曲部４４２は、かみ合いレベルＢに示す。単一の部品または順に重ねて取り付けられた２つの同軸の部品に月カム４４を容易に加工するために、本発明の好適な実施形態によって、２月のためにかみ合いレベルＢおよびＣに同一のカムの表面を使用するのは明らかであり、実際、かみ合いレベルＣの角度領域４４０２における第１のカムの表面４４１（図６Ａおよび図６Ｂに詳細に示す）は、かみ合いレベルＢの第２のカムの表面４４２によって完全に隠されている。
【００４６】
図５の上部には、中間月割出車３５を示し、月割出歯３７と同軸かつ回転可能に固定され、月割出歯３７の下部に隠れている月表示を作動させるための歯車３６とかみ合う。月割出歯３７は、１年に１回転し、閏年表示を作動させるための歯車３８とかみ合い、作動歯車３８は、中間閏年車３９に同軸かつ回転可能に固定され、中間閏年車３９は、歯数が同じの閏年表示車４０とかみ合う。腕時計の使用者に対してさらに良好な可読性が可能となるように、閏年表示車４０は、月表示を作動させるための歯車と同軸に配置される。
【００４７】
図６Ａは、平年の２月２８日における、図示した好適な実施形態よる、永久カレンダ機構のための枢動する格納式の歯１２８、１２９、１３０および日割出車１２のそれぞれの歯２８、２９、３０のそれぞれのかみ合いレベルにおけるさまざまな割出順序を示す。そのような日では、カレンダ機構は３つの日の値により再調整する必要があり、この再調整は、日割出車１２の割出歯２８、２９、３０とともに、それぞれのかみ合いレベルＥ、Ｂ、Ｃの３つの格納式の歯１２８、１２９、１３０によって行なわれる。
【００４８】
上部の図は、２月２８日の時刻２０：００における日割出部分１１と、さまざまな歯２８、２９、３０、３１の位置とを示す。この時点では、日割出車１２の歯２８は、日割出歯車１３’と一体化する回転軸１２８’の周りを枢動するように取り付けられた枢動する格納式の歯１２８とかみ合う。図に示す好適な実施形態によれば、枢動する格納式の歯１２８の回転軸１２８’は、符号２５’で示す日割出歯車１３’の２５番目の歯からやや奥まって位置している。枢動する格納式の歯１２８は、閏年カム４６により今月の２７日から２８日に移動する際に動作位置１２８Ａにもたらされ、閏年カム４６は、マルタ十字歯車４６’と一体化し、マルタ十字機構４６’は、固定歯車４７と一体化される固定閏年割出フィンガ４７によって１年に一度割り出される。図に示す好適な実施形態によれば、固定歯車４７は、月プログラム歯車４３および日プログラム車１３’と同軸である。
【００４９】
日割出車１２の歯２８および枢動する格納式の歯１２８は、かみ合いレベルＥでかみ合い、これにより、日プログラム車１３が２４時間車２と同一方向に、筒車１とは逆方向の回転方向Ｓ１、たとえば、図６Ａに従って時計の針の時計回りの方向に１／３１回転駆動される。図６Ａの表示方向は、図６Ｂの表示方向でもあり、図３Ｂの表示方向と反対であり、たとえば、筒車１は時計の針の方向に回転し、２４時間車２およびかみ合い部分１１を時計の針とは逆方向に駆動するに留意する必要がある。
【００５０】
日プログラム車の弾性割出要素１４は、日割出歯車１３’の割り出しを可能とし、次に方向Ｓ１に精確に１／３１ピッチ回転して日付表示歯車列（他の図に示す符号１５〜２４を参照）にかみ合い、一方では、第１の弾性再配置要素１２８２は枢動する格納式の歯１２８に取り付けた第１の突起１２８１と協働し、割り出し後にこの歯１２８が取り替えられて下側の休止位置に保持されることを可能にする。
【００５１】
月カム４４は、各月に対応する１２の等角領域に分割され、１月〜１２月にそれぞれ符号４４０１〜４４１２を付与する。図６Ａの第１の部分に示すように、閏年カム４６の閏年カムの表面４６１は、かみ合いレベルＥで、下部の図に示すレベルＣの３１日未満の月のカムの表面４４１と、中央の図に示す２月のカムの表面４４２と同一である。したがって、レベルＢから開始する月カム４４の平面図に従って、上記の全カムの表面４４１、４４２および４６１は、符号４４０２の２月に対応する角度領域に対して重ね合わせられる。枢動する格納式の歯１２８、１２９および１３０それぞれの動作が適切に機能することを確実にするには、これらのさまざまなカムの表面の配列を確認すれば十分であることから、この配置によって、月プログラム車４３を形成する部品の加工および組み立てが容易になる。
【００５２】
図６Ａの上部から、割出順序が２月末に進む方向を示す下方向の矢印Ｓに従うと、別のかみ合いレベルＢで日プログラム車１３およびプログラム月車４３の断面図を示す第２の図面があり、日割出車１２の歯２９は、日プログラム車１３の枢動する格納式の歯１２９とかみ合い、日プログラム車１３は日割出歯車１３’と一体化する回転軸１２９’の周りを枢動するように取り付けられる。図に示す好適な実施形態によれば、回転軸１２９’は、符号２６’で示す日割出歯車１３’の２６番目の歯からやや奥まって位置している。この順序は、２４時間車２が２４時間車の日かみ合い部分１１を歯１つ分進める時刻２１：００に行われ、日割出車１２は、１／８回転して歯２８に続いて歯２９にかみ合う。枢動する格納式の歯１２８が非動作位置１２８ｌに戻されると同時に、枢動する格納式の歯１２９は、今月の２８日から２９日に進む際に動作位置１２９Ａに戻り、すなわち、月カム４４の２月のカムの表面４４２による割り出しは直前の１時間で行われる。しかし、閏年の２月の場合には、枢動する格納式の歯１２９の動作位置１２９Ａは、レベルＤの通常のかみ合いにおいて真夜中に２８日から２９日に移動する際に効果がある（以下の図６Ｂ参照）。かみ合いレベルＥにおいて示す図６Ａの上部の図と同じように、２月、すなわち今月の２９日から３０日の割出再調整のための月カム４４のカムの表面４４２は、同じ２月の月カムの表面４４１と同一であることは明らかである。日プログラム車の弾性割出要素１４は、日割出歯車１３’の割り出しを可能にし、Ｓ１方向に再度精確に１／３１回転する。
【００５３】
第１の枢動する格納式の歯１２８の場合のように、第２の弾性再配置要素１２９２は、枢動する格納式の歯１２９に取り付けた第２の突起１２９１と協働し、歯１２９を割り出し後に取り替えて、下側の休止位置に保持することを可能にする。
【００５４】
割出順序が２月末に進む方向を示す下方向の矢印Ｓにさらに従うと、特に図３および図４に示す好適な変形例により、レベルＢの真下に位置する第３のかみ合いレベルＣに沿って、日プログラム車１３および月プログラム車４３の断面図を示す図６Ａの下部に第３の図があり、日割出車１２の歯３０は、日プログラム車１３の枢動する格納式の歯１３０とかみ合い、この歯は、日プログラム車１３’に一体化される枢動する格納式の歯１３０の回転軸１３０’の周りを枢動するように取り付けられる。図に示す好適な実施形態によれば、回転軸１３０’は、符号２’で示す日割出歯車１３’の第２番目の歯からやや奥まって位置している。この順序は、２４時間車２が２４時間車の日かみ合い部分１１を歯１つ分再度進める時刻２２：００に行われ、日割出車１２は、１／８回転して日割出車１２で歯２９に続いて歯３０にかみ合う。そこで、枢動する格納式の歯１２９は、今月の２９日から３０日に進む際に非動作位置１２９ｌに戻り、すなわち、割り出しは直前の１時間に行われ、枢動する格納式の歯１３０は、月カム４４の３１日未満の月のカムの表面４４１の結果として動作位置１３０Ａに戻る。しかし、３０日の通常の月に関しては、枢動する格納式の歯１３０の動作位置１３０Ａは、レベルＤの通常の毎日のかみ合い後、真夜中に２９日から３０日に移動する際に効果がある（以下の図６Ｂ参照）。かみ合いレベルＢおよびＥにおいて示す図６Ａと同じように、月カム４４のカムの表面４４１および４４２が、同じ２月、すなわち符号４４０２で示す角度領域において同一であることを示す。しかし、このかみ合いレベルＣでは、現在の月の最終日の時刻２２：００〜２３：００に３０日から３１日の再調整を行う４月に対応する角度領域４４０４、６月に対応する角度領域４４０６、９月に対応する角度領域４４０９、１１月に対応する角度領域４４１１それぞれに対応する他の４つの同一の湾曲部を示す。枢動する格納式の歯１２８および１２９に関して、第３の弾性再配置要素１３０２は、枢動する格納式の歯１３０に取り付けた第３の突起１３０１と協働し、この歯１３０を割り出し後に取り替えて、下側の休止位置に保持することを可能にすることに留意する必要がある。
【００５５】
日プログラム車の弾性割出要素１４は、日割出歯車１３’の割り出しを可能にし、この最後の割出再調整のために、回転方向Ｓ１に精確に１／３１回転のピッチで再度回転する。
【００５６】
図６Ａのさまざまな例から示すように、枢動する格納式の歯１２８、１２９、１３０は全て同じ幾何学的形状を有するのが好ましく、これにより日プログラム車１３の製造を実質的に簡素化し、格納式の歯のための交換部品の加工も実質的に簡素化するため、日付調整のための専用要素を加工する必要はない。組み合わせた枢動する格納式の歯１２８、１２９、１３０それぞれの単純かつ均一な幾何学的形状は、上に記載したようにこれらの歯が動作位置１２８Ａ、１２９Ａ、１３０Ａで日割出歯車１３’の外部の歯システムに重ね合わせられるように、割出再調整のために各レベル（Ｂ、Ｃ、Ｅ）において均一なカムの表面と併用することを可能にする。したがって、提案するカレンダ機構全体の複雑さは、通常の機構に対して大幅に減少する。
【００５７】
図６Ａおよび図６Ｂの日割出歯車１３’の３１の歯では、それぞれ符号１’、２’、２５’、２６’、２７’、２８’、２９’、３０’を示す日割出歯車１３’の１番目および２番目の歯および２５〜３０番目の歯を歯１３１と同じように示し、平年の２月２８日から３月１日まで移動する時に、記載する実施例において、３１日から翌月１日を割り出すための日割出車１２の歯の３１に重ね合わせたかみ合い領域３１と協働する。枢動する格納式の歯１２８、１２９および１３０それぞれが、図６Ａの上部の第１の図における動作位置１２８Ａ、図６Ａの中央の第２の図における動作位置１２９Ａ、図６Ａの下部の第３の図における動作位置１３０Ａにある場合、記載する好適な実施形態に従って、日割出歯車のこれらの歯は、歯２８’、２９’、３０’をそれぞれ隠す。しかし、これらは以下に説明する図６Ｂの下部の図に示す。
【００５８】
図６Ｂは月割出順序を示しており、この順序は、平年の２月２８日のための既出の図６Ａの３回の割出再調整に続き、それ以外の全ての日の時刻２３：００〜２４：００にも行われる。月の最後の割り出しのための上記の図６Ａと同じ矢印Ｓは、明らかに下向きを指し、割出順序が進む方向を示している。明確に示していない既出の図５とは異なり、図６Ａには、突起１２８１、１２９１および１３０１と、弾性要素１２８２、１２９２および１３０２とを示し、図３Ｂには突起のみを示す。
【００５９】
図６Ｂの上部の第１の図は、特に図３および図４に示す好適な実施形態において、レベルＣの真上の第４のかみ合いレベルＤの日プログラム車１３および月プログラム車４３の断面図を示し、日割出車１２の歯３１は、日割出歯車１３’の歯１３１とかみ合う。この順序は、２４時間車２が図６Ａの下側の図に対して２４時間車の日かみ合い部分１１を歯１つ分再度進める時刻２３：００に行われ、日割出車１２は、１／８回転して、日割出車１２の歯３０に続いて歯３１にかみ合う。
【００６０】
図６Ｂの下部の図は、プログラム車１３および月カム４４の平面図を示し、その要素は、日かみ合い部分１１と日割出車１２との間の第１のかみ合いレベルＡと、かみ合いレベルＥの下の固定車４７’および閏年割出フィンガ４７との間に位置する。また、真夜中に日付が３月１日であると割り出され、日割出車１２がさらに８分の１回転する場合に、それぞれのかみ合いレベルＥ、ＢおよびＣでそれぞれの軸１２８’、１２９’、１３０’の周りを枢動するさまざまな格納式の歯１２８、１２９および１３０の非動作位置１２８ｌ、１２９ｌ、１３０１は明らかとなり、これにより、歯３１は日割出歯車１３’とかみ合わなくなる。枢動する格納式の歯１２８、１２９および１３０の突起１２８１、１２９１、１３０１とそれぞれ協働する弾性要素１２８２、１２９２および１３０２は、非動作の位置にこれらの格納式の歯を保持する。日割出車１２は、日かみ合い部分１１とともにかみ合いレベルＡで８つの歯を含む場合でも、日プログラム車１３そのそれぞれのかみ合いレベルＢ、Ｃ、Ｄ、Ｅに４つの歯、さらに精確には各レベルＢ、Ｃ、Ｄ、Ｅそれぞれに１つの歯のみ含み、これにより、かみ合い部分１１の最後の歯による日割出車１２が駆動することによって、以降の時間の日プログラム車１３の動作に影響がない。したがって、日割出歯車１３’は、この瞬間を過ぎて回転するようには駆動しない。しかし、特に図２Ｂに基づいて記載する上記の制御歯車列（符号１５、１６、３２、３３、４１、４２）は、３１日から翌月の１日にそれぞれ移動する間、方向Ｓ１とは反対方向Ｓ２に１／１２回転することによって月カム４４と一体化する月歯車４３を割り出す。それぞれの月の変化時にムーブメントに使用するエネルギーが大きくなり過ぎることを防止するために、代替実施形態では、月割出歯の種類は、月表示に関するものと、月プログラム歯車４３の逆動に関するものとで、分けることは可能である。提案する実施形態によれば、符号３２の月割出歯は、同時に月表示３６および月プログラム歯車を作動させるための歯車の割り出しを引き起こすため、これらの月の割出歯は統合している。代替実施形態では、第２の割出歯は、レベルＦで月割出歯車３３と回転可能に固定されない月制御車４１とかみ合い、これにより、このかみ合いは、たとえば、月の１０日〜２０日に、数日分前方に角度移動させることができ、したがって、月プログラム車の割り出しは、現在の月表示の割り出しとは同時に行わないことから、月末に同時に行う割出動作はあまり大きなトルクが必要とはならず、さらに、格納式の歯を動作位置に配置する必要がある場合、つまり、月の最終日の前の十分長い時間では、プログラム日車４３の適切な配置を確実にすると考えられる。さらに、日割出車１２は、歯状かみ合い部分１１の７つの歯とかみ合った後に１回転し、この同じ歯状領域の次のかみ合いまでは、所定の位置で図６Ａおよび図６Ｂの全ての図面に示す非歯状領域１１’の表面によって保持され、その回転を妨げる。
【００６１】
本発明によるカレンダ機構によって提案するかみ合いの信頼性は、枢動する格納式の歯１２８、１２９および１３０の位置が、回転軸１２８’、１２９’および１３０’に対してそれぞれが有する回転１自由度によってのみ求められるという事実によって、格納式の歯の転換に、複雑なカムの表面、および／または、いくつかの構成部品を有するムーブメントを使用する機構に比して改善する。したがって、月カム４４のさまざまな角度領域４４０１〜４４１２の間の高さ距離が、状態変化時、すなわち非動作位置から動作位置、その逆の変化時の進路角のみを求めることから、さまざまな割出再調整が行われるカムの表面が、枢動する格納式の歯１２８、１２９、１３０をそれらの動作位置１２８Ａ、１２９Ａ、１３０Ａで示すために高性能である必要はない。この高さは、枢動する格納式の歯それぞれが、動作位置１２８Ａ、１２９Ａ、１３０Ａにある場合に、日割出歯車１３’の歯システムのそれぞれのかみ合いレベルで重ね合わせられるように選択される。図６Ｂでは、枢動する格納式の歯１２８’、１２９’、１３０’の回転軸は、同一円上に位置しておらず、すなわち、日割出歯車１３’の回転中心から等距離にはないが、日割出車の符号２８’、２９’および３０’それぞれの２８番目、２９番目および３０番目の歯に対して枢動する格納式の歯１２８、１２９、１３０を重ね合わせた配置を実現するために、３１日未満の月のカムの表面４４１、２月の月のカムの表面４４２および閏年のカムの表面４６１が２月のさまざまなかみ合いレベルＥ、Ｂ、Ｃで同一の場合に、この配置は有利となりうる。
【００６２】
図６Ａおよび図６Ｂに示すように、３１日未満の月末に欠落する日の再調整は、最初に、３つの再調整のかみ合レベルＥ、Ｂ、Ｃそれぞれで、次に、通常の日付割出レベルＤで、最大４時間、つまり時刻２０：００〜２４：００にわたって毎時間、本発明によるカレンダ機構によって連続して行われ、一方では、日割出車１２は、２４時間車１１のかみ合い領域によって駆動する。枢動する格納式の歯は全て、同じ時計ムーブメント歯車列、さらに精確には同じ部分（すなわち日割出車１２）によって駆動することから、各補正には専用歯車列が必要なく、これによって、提案するカレンダ機構は、古典的な機構に比して構造が簡素化される。選択された好適な実施形態によれば、８に固定した日割出車１２の歯数は、日割出車１３’および枢動する格納式の歯１２８、１２９、１３０を含み、取り付けられた日プログラム車１３を割り出すのに十分な角度で１／３１回転し、同時に適切なかみ合いの深さで回転を実行するように選択される。さらに、日割出車１２が精確に毎日１回転するという事実は、同じような動作が同じ位置から開始する１日周期によって繰り返されることを可能にする。かみ合いレベルＢ、Ｃ、Ｅが月末の全ての再調整動作、日割出動作のかみ合いレベルＤに対して分離しているという事実によって、日プログラム車１３および日割出車１２のそれぞれの部品に関して、好ましくはかみ合いレベル毎に、モジュール単位の交換が可能となる。本発明によるカレンダ機構によって提供するこの可能性は、たとえば、かみ合いレベルＤは毎日使用されるが、レベルＢは年１回、レベルＣは年５回、レベルＥは４年のうち平年の３年で年１回使用されるため、きわめて有利である。
【００６３】
カレンダ機構は、古典的にケース０に配置される王冠を回転させることによる時間の調整が、筒車１を介して、最終的にカレンダ機構に伝達されるように、動作に関して、さらには両方向に日付表示を常に同期させることが可能である。これは旅行の目的地が、出発地域の時間帯よりも遅れている場合に、たとえば欧州から９時間遅れる米国西海岸の場合に有利となりうる。本発明によるカレンダ機構を装着した腕時計の使用者は、単に腕時計の時間を−９時間調整する必要しかなく、日付は、たとえば３月１日から２月２８日または２９日に自動的に逆方向に調整され、日付調整のために特別な操作を必要としない。腕時計の使用は、逆方向の操作での調整時に動作と同期しない通常の日付機構を備える腕時計に対してさらに簡単になるのみである。
【図１】
0005559828.tif 000002
【図２】
0005559828.tif 000003
【図３】
0005559828.tif 000004
【図４】
0005559828.tif 000005
【図５】
0005559828.tif 000006
【図６Ａ】
0005559828.tif 000007
【図６Ｂ】
0005559828.tif 000008